【手続補正書】
【提出日】平成26年3月20日(2014.3.20)
【手続補正１】
【補正対象書類名】特許請求の範囲
【補正対象項目名】全文
【補正方法】変更
【補正の内容】
【特許請求の範囲】
【請求項１】
装置であって、
皮膚の表面上への配置のための遠位面を画成するシースと、
前記皮膚の表面に対して近位位置と遠位位置との間を移動可能で、医療用装置を支持するよう構成された装置支持部と、
前記皮膚の表面に対して前記近位位置と前記遠位位置との間を移動可能な鋭利部材支持部であって、該鋭利部材支持部は、前記医療用装置を皮膚の表面下に挿入するための鋭利部材であって前記装置支持部の一部分を通って延びる鋭利部材を支持するよう構成された、前記鋭利部材支持部と、
前記シースに対して近位位置と遠位位置との間を移動可能なハンドルであって、前記鋭利部材を皮膚の表面下に挿入するために前記装置支持部および前記鋭利部材支持部を近位位置から遠位位置へと付勢するよう構成されたハンドルと、
前記鋭利部材支持部が前記遠位位置に到達したときに、前記鋭利部材支持部を前記近位位置に向かって前進させる駆動器と、
を備え、
前記装置支持部が、該装置支持部を鋭利部材支持部に取り外し可能に結合する第１の係合部材と、前記医療用装置と係合する第２の係合部材とを有し、
更に、前記ハンドルに加えられた力が、前記シースを前記ハンドル内に移動させ、且つ前記医療用装置を前記近位位置から前記遠位位置に移動させ、且つ前記鋭利部材を前記皮膚の表面下に挿入することを特徴とする装置。
【請求項２】
前記ハンドルおよび前記シースが、該シースに対する該ハンドルの相対移動を防止するインターロック構成を備え、該インターロック構成は、前記ハンドルに加えられた力によって凌駕されることを特徴とする請求項１記載の装置。
【請求項３】
前記第２の係合部材が、前記医療用装置と係合する１以上の可動アームを含むことを特徴とする請求項１記載の装置。
【請求項４】
前記１以上の可動アームが、通常状態においては、前記医療用装置から離間した位置に偏っていることを特徴とする請求項３記載の装置。
【請求項５】
前記装置支持部が前記近位位置にあるときに、前記１以上の可動アームは前記医療用装置と係合した状態に維持されることを特徴とする請求項４記載の装置。
【請求項６】
前記装置支持部が前記遠位位置にあるときに、前記１以上の可動アームは前記医療用装置から離間した位置に戻るのが可能になることを特徴とする請求項４記載の装置。
【請求項７】
前記装置支持部が前記遠位位置に到達したときに、前記第１の係合部材は前記鋭利部材支持部から解放されることを特徴とする請求項１記載の装置。
【請求項８】
前記シースの一部分によって、前記第１の係合部材が前記鋭利部材支持部と係合した状態に維持されることを特徴とする請求項７記載の装置。
【請求項９】
前記鋭利部材にユーザが接触しないよう保護するために、前記装置支持部を前記近位位置に維持する止め具を更に備えることを特徴とする請求項１記載の装置。
【請求項１０】
前記医療用装置が検体センサであることを特徴とする請求項１記載の装置。
【請求項１１】
方法であって、
遠位面を画成するシースと、医療用装置を支持するよう構成された装置支持部と、該装置支持部の一部分を通って延びる鋭利部材を支持するよう構成された鋭利部材支持部と、前記シースに対して相対移動可能なハンドルと、前記鋭利部材支持部を変位させる駆動器とを有する装置を設ける工程と、
前記シースの前記遠位面を皮膚の表面上に配置する工程と、
前記シースが前記ハンドル内に移動するよう該ハンドルを第１の長手方向に変位させる工程と、
前記鋭利部材支持部を前記第１の長手方向に変位させ、該鋭利部材支持部が前記鋭利部材および前記医療用装置を変位させる工程と、
皮膚の表面下に前記鋭利部材および前記医療用装置を挿入する工程と、
前記医療用装置を前記被験者に対して送出する工程と、
前記駆動器を解放する工程と、
前記駆動器によって前記鋭利部材を第２の長手方向に変位させる工程と、
を備え、
前記ハンドルを前記第１の長手方向に変位させる工程が、前記装置支持部を前記第１の長手方向に変位させ、且つ前記鋭利部材および前記医療用装置を前記皮膚の表面下に挿入することを特徴とする方法。
【請求項１２】
前記第１の長手方向が近位位置から遠位位置への方向であり、前記第２の長手方向が前記遠位位置から前記近位位置への方向であることを特徴とする請求項１１記載の方法。
【請求項１３】
前記鋭利部材支持部が前記遠位位置に到達したときに、前記鋭利部材が前記近位位置に向かって変位されることを特徴とする請求項１２記載の方法。
【請求項１４】
前記鋭利部材支持部が前記近位位置へと変位されたときに、前記ハンドルが遠位位置に維持されることを特徴とする請求項１３記載の方法。
【請求項１５】
前記ハンドルを前記第１の長手方向に変位させる前記工程が、所定の力を加えることによって前記ハンドルと前記シースとの間のインターロック構成を凌駕する工程を含むことを特徴とする請求項１１記載の方法。
【請求項１６】
前記医療用装置を前記皮膚の表面下に挿入する前記工程が、前記医療用装置を前記装置支持部から解放する工程を含むことを特徴とする請求項１１記載の方法。
【請求項１７】
前記医療用装置を前記装置支持部から解放する前記工程が、前記装置支持部の１以上の可動アームを半径方向外側に変位可能にする工程を含むことを特徴とする請求項１６記載の方法。
【請求項１８】
システムであって、
皮膚の表面上への配置のための遠位面を画成するシースであって、少なくとも１つの付勢された保持要素を有するシースと、
近位位置と遠位位置との間を移動可能で、医療用装置を支持するよう構成された装置支持部と、
近位位置と遠位位置との間を移動可能な前記鋭利部材支持部であって、前記装置支持部の一部分を通って延びる鋭利部材を支持するよう構成された前記鋭利部材支持部と、
前記シースに対して相対的に近位位置と遠位位置との間を移動可能なハンドルであって、該ハンドルは、前記鋭利部材を前記皮膚の表面下に挿入するために前記装置支持部および前記鋭利部材支持部を前記近位位置から前記遠位位置へと付勢するよう構成され、前記ハンドルを前記近位位置から前記遠位位置へと前進させることが、戻り止めに対する前記ハンドルの遠位への移動を可能にするために前記少なくとも１つの付勢された保持要素を凌駕する最小限の力を加えることを含む、ハンドルと、
前記鋭利部材支持部が前記遠位位置に到達したときに、前記鋭利部材支持部を前記近位位置に向かって前進させる駆動器と、
を備え、
前記装置支持部が、鋭利部材支持部と動作可能に係合するよう構成された少なくとも１つの要素を含み、
更に、前記ハンドルに加えられた最小限の力が、前記シースを前記ハンドル内に移動させ、且つ前記医療用装置を前記近位位置から前記遠位位置に移動させ、且つ前記鋭利部材を前記皮膚の表面下に挿入することを特徴とするシステム。
【請求項１９】
前記鋭利部材支持部および前記装置支持部の一方が少なくとも１つの保持要素を含むことを特徴とする請求項１８記載のシステム。
【請求項２０】
前記保持要素が前記装置支持部に配設されることを特徴とする請求項１９記載のシステム。
【請求項２１】
前記装置支持部が前記遠位位置に前進するまで、前記シースによって、前記装置支持部と前記鋭利部材支持部との間に前記保持要素が動作可能に係合している状態が維持されることを特徴とする請求項１９記載のシステム。
【請求項２２】
前記装置支持部の前記遠位位置への前進により、前記保持要素が解放され、前記装置支持部に対する前記鋭利部材支持部および前記鋭利部材の近位への移動が可能になることを特徴とする請求項２１記載のシステム。
【請求項２３】
前記鋭利部材支持部が前記近位位置へと前進したときに、前記ハンドルが前記遠位位置に維持されることを特徴とする請求項１９記載のシステム。